(57)【要約】【課題】拡大の倍率化を図ること。拡大レンズの交換が自在であること。【解決手段】液晶表示部の表示画面から上方に突出するように該液晶表示部に左右一対の係合部を形成し、これらの係合部に両方向から同時に力を入れると材質自体の弾性力に抗して湾曲状態に変位する弾性変形機能と、逆に力を緩めると偏平状態に戻る弾性復帰変形機能とを有する複数枚の薄板拡大レンズを係脱自在に嵌め込み、これらの薄板拡大レンズは、前記表示画面に対してそれぞれ所要空間を有して上方に配設されていることを特徴とする携帯型情報端末機。【選択図】　図４
2004015426.tif 000002
【特許請求の範囲】
【請求項１】
液晶表示部の表示画面から上方に突出するように該液晶表示部に左右一対の係合部を形成し、これらの係合部に両方向から同時に力を入れると材質自体の弾性力に抗して湾曲状態に変位する弾性変形機能と、逆に力を緩めると偏平状態に戻る弾性復帰変形機能とを有する複数枚の薄板拡大レンズを係脱自在に嵌め込み、これらの薄板拡大レンズは、前記表示画面に対してそれぞれ所要空間を有して上方に配設されていることを特徴とする携帯型情報端末機。
【請求項２】
請求項１に於いて、係合部は液晶表示部の上面の両端部に突設され、各係合部の内側には下方案内溝と上方案内溝がそれぞれ形成されていることを特徴とする携帯型情報端末機。
【請求項３】
請求項１に於いて、左右一対の係合部の両端部にそれぞれ係合爪片を設け、これらの係合爪片に、上方に位置する第２薄板拡大レンズが表示画面の上方に湾曲状に係止されていることを特徴とする携帯型情報端末機。
【請求項４】
請求項１に於いて、液晶表示部の上面に内外の係合爪片を複数個設け、これらの係合爪片に、上方に位置する第２薄板拡大レンズ１６Ｂ及び下方に位置する第１薄板拡大レンズ１５Ｂの両方が、液晶表示部４Ｂの表示画面７の上方に湾曲状にそれぞれ係止されていることを特徴とする携帯型情報端末機。
【請求項５】
液晶表示部の縦長表示画面から上方に突出するように該液晶表示部に左右一対の係合部を形成し、これらの係合部に両方向から同時に力を入れると材質自体の弾性力に抗して湾曲状態に変位する弾性変形機能と、逆に力を同時に緩めると偏平状態に戻る弾性復帰変形機能とを有する複数枚の薄板拡大レンズを係脱自在に嵌め込み、これらの薄板拡大レンズは、前記縦長表示画面に対してそれぞれ所要空間を有して上方に配設されていることを特徴とする携帯型情報端末機。
【請求項６】
請求項５に於いて、液晶表示部を水平方向に支軸を介して略９０度回転した場合に縦長表示画面が横長表示画面に見えると共に、該横長表示画面に表れる情報は、液晶表示部が回転したことを検知する回転方向検出回路、該回転方向検出回路により検出された検出信号を受け取るＵＰＵ、該ＵＰＵから制御信号を受取りかつワイド状態の表示画面に対応して情報の位置や表示設定が正しくなるように液晶表示板に対する情報素子を駆動する情報素子駆動回路をそれぞれ介して視覚上見え易く表れることを特徴とする携帯型情報端末機。
【発明の詳細な説明】
【０００１】
【発明の属する技術分野】
本発明は、携帯用電話機、携帯用電子手帳などの携帯型情報端末機に関する。
【０００２】
【従来の技術】
近年、ＰＨＳ，ｉ−ｍｏｄｅ（登録商標）などの携帯用電話機、携帯用電子手帳などの携帯型情報端末機が普及している。各種の携帯型情報端末機の形態は、普通一般に用途との関係で掌にのることができるような大きさにする必要があることから、その形状や液晶表示部の表示画面の大きさも制約を受ける。例えば携帯用電話機の種類は、入力操作部の上方に液晶表示部が連設するストレート型と、入力操作部と液晶表示部とが一体的に設けられた折り畳み型に大別することができる。後者の折り畳み型電話機は、前者のストレート型よりも縦長表示画面が多少大きいものの、それでも情報（文字、図形など）が小さいので、文字情報などを判別し難いという問題点がある。
【０００３】
そこで、従来、薄板状の拡大レンズ付携帯型情報端末機が色々と提案されている（実用新案登録第３０８４５２６号、特開平２０００−１７４８６５号などに記載の電話機）。しかし、従来の先行技術は、電話機に紐体や支持具を介して薄板状拡大レンズ（例えばプラスチック製のフレネルレンズ）を取り付けているため、紐体、リングなどの連結部材が邪魔であるという問題点があった。また、薄板状拡大レンズを片手で持ちながら表示画面の情報を拡大するので、一方の手で入力操作部を操作すると、他方の手で電話を持つことができないという問題があった。さらに、表示画面が縦長であることも相俟って、読み難い或いは見にくいと感じる人（例えば熟年層の方々）がいた。
【０００４】
【発明が解決しようとする課題】
本発明の第１の目的は、携帯型情報端末機の表示画面の情報を、合理的な構成により、拡大の倍率化を図ることができると共に、携帯型情報端末機を操作する際に常に両手を使用することができることである。本発明の第２の目的は、携帯型情報端末機の液晶表示部に複数枚の拡大レンズを簡単に係脱或いは嵌合させることができることである。換言すれば、拡大レンズの交換が自在であること。本発明の第３の目的は、携帯電話機の縦長表示画面を横長表示画面としても使用することができることである。本発明の第４の目的は、縦長表示画面を横長表示画面にした時、操作釦一つで、又は自動的に横長表示画面に対応して情報の位置や表示設定が正しく表れることである。
【０００５】
【課題を解決するための手段】
本発明の携帯型情報端末機は、液晶表示部の表示画面から上方に突出するように該液晶表示部に左右一対の係合部を形成し、これらの係合部に両方向から同時に力を入れると材質自体の弾性力に抗して湾曲状態に変位する弾性変形機能と、逆に力を緩めると偏平状態に戻る弾性復帰変形機能とを有する複数枚の薄板拡大レンズを係脱自在に嵌め込み、これらの薄板拡大レンズは、前記表示画面に対してそれぞれ所要空間を有して上方に配設されていることを特徴とする。
【０００６】
上記構成に於いて、係合部は液晶表示部の上面の両端部に突設され、各係合部の内側には下方案内溝と上方案内溝がそれぞれ形成されていることを特徴とする。また、左右一対の係合部の両端部にそれぞれ係合爪片を設け、これらの係合爪片に、上方に位置する第２薄板拡大レンズが表示画面の上方に湾曲状に係止されていることを特徴とする。また、液晶表示部の上面に内外の係合爪片を複数個（少なくとも合計８個）設け、これらの係合爪片に、上方に位置する第２薄板拡大レンズ１６Ｂ及び下方に位置する第１薄板拡大レンズ１５Ｂの両方が、液晶表示部４Ｂの表示画面７の上方に湾曲状に係止されていることを特徴とする。
【０００７】
さらに、本発明の携帯型情報端末機は、液晶表示部の縦長表示画面から上方に突出するように該液晶表示部に左右一対の係合部を形成し、これらの係合部に両方向から同時に力を入れると材質自体の弾性力に抗して湾曲状態に変位する弾性変形機能と、逆に力を同時に緩めると偏平状態に戻る弾性復帰変形機能とを有する複数枚の薄板拡大レンズを係脱自在に嵌め込み、これらの薄板拡大レンズは、前記縦長表示画面に対してそれぞれ所要空間を有して上方に配設されていることを特徴とする。この場合液晶表示部を水平方向に支軸を介して略９０度回転した場合に、縦長表示画面が横長表示画面に見えると共に、該横長表示画面に表れる情報は、液晶表示部が回転したことを検知する回転方向検出回路、該回転方向検出回路により検出された検出信号を受け取るＵＰＵ、該ＵＰＵから制御信号を受取りかつワイド状態の表示画面に対応して情報の位置や表示設定が正しくなるように液晶表示板に対する情報素子を駆動する情報素子駆動回路をそれぞれ介して視覚上見え易く表れることを特徴とする。
【０００８】
【発明の実施の形態】
図１乃至４図は、本発明の第１実施例を示す各説明図である。まず図１を参照にして携帯型情報端末機（例えば携帯用電話機）Ｘを説明する。携帯型情報端末機の一例としての携帯用電話機の基本的形態は、普通一般に入力操作部の上方に液晶表示部が連設するストレート型と、中心部の軸支部を介して入力操作部と液晶表示部とが一体的に設けられた折り畳み型とに区分けすることができる。第１実施例の携帯型情報端末機Ｘは後者のタイプに属するが、本発明はこのタイプに限定するものではない。
【０００９】
すなわち、１は縦長の電話機本体である。この電話機本体１は、軸支部２を基準にして下方に位置しかつ掌に載せることができる入力操作部３と、上方に位置しかつ入力操作部３に対して開閉する液晶表示部４とから構成されている。
しかして、前記入力操作部３の表面の上部には、液晶表示部４の表示画面に表れるカーソルの方向やメニューの選択に用いられる方向盤（ポインティング・デバイス）５が設けられている。また入力操作部３の方向盤５の下方側には、電源釦、数字釦、記号釦など複数個（例えば１８個）の操作釦６が整列状態（例えば三列）に設けられている。
【００１０】
一方、液晶表示部４の表面には、常態の位置では縦長表示画面７が設けられている。８は液晶表示部４の右上端部に伸縮自在に設けられたアンテナである。携帯用電話機Ｘには、その他スピーカ９、マイク１０、他の機器との出入力端子などが適宜に設けられている。なお、アンテナ８は、設計如何によって入力操作部３に設けられている。
【００１１】
次に１１は液晶表示部４の上面の両端部に突設された左右一対のレール状係合部である。左右の係合部１１，１１の内側には下方案内溝１２と、上方案内溝１３がそれぞれ形成されている。下方案内溝１２と上方案内溝１３は、本実施例では左右の係合部１１，１１の一端面（上端面）１１ａから一端面（下端面）１１ｂ寄りの部位まで一連に形成されている。左右の係合部１１，１１の高さ寸法は、携帯用電話機Ｘを閉じることができる寸法に設定されている。また下方案内溝１２と上方案内溝１３は、設計如何によっては外方向にやや湾曲状の曲率を有するように形成しても良いが、本実施例では電話機を閉じることから、水平或いは直線状に設けられている。
【００１２】
１５は前記下方案内溝１２に係脱自在に装着される矩形板状の第１薄板拡大レンズである。一方、１６は所定空間を有して上方案内溝１３に係脱自在に装着される矩形板状の第２薄板拡大レンズである。第１及び第２の薄板拡大レンズ１５，１６は、例えば親指と人差し指で両端部１５ａ，１５ｂ，１６ａ，１６ｂを持ち、両方向から同時に力を入れると、材質自体の弾性力に抗して湾曲状態に変位する弾性変形機能と、親指と人差し指の力を同時に緩めると、偏平状態に戻る弾性復帰変形機能とを有する。
【００１３】
しかして、本実施例では、第１及び第２の薄板拡大レンズ１５，１６は、図４で示すように偏平状態の形態を保持したまま対応する下方案内溝１２と上方案内溝１３にそれぞれ差込まれる。ここでは説明の便宜上、下方案内溝１２に係合する方を第１の薄板拡大レンズ１５とする。第１及び第２の薄板拡大レンズ１５，１６は、左右の係合部の下方案内溝１２と上方案内溝１３に案内されながら差込まれると、各挿入先端部１５ａ，１６ａは、左右の係合部のストッパー面（各案内溝の内端面のこと）１７に当り、液晶表示部４の縦長表示画面７にそれぞれ所定空間１８，１９を有して対向する。
【００１４】
薄板拡大レンズ１５，１６としてはフレネルレンズが用いられている。なお、符合１４は電話機本体１を閉じた時に各係合部１１，１１が邪魔に成らないように入力操作部３の左右に列状態に形成された左右一対の係合部用凹所である。この凹所は係合部の形状如何によって変わる。
【００１５】
次に本発明の第２実施例以降を説明する。以下、第２実施例以降の説明にあたって、第１実施例と同一又は同様（機能が同一）の部分には、同一又は同様の符号を付し、重複する説明を省略する。
【００１６】
図５乃至図７に示す第２実施例の携帯型情報端末機（例えば携帯用電話機）Ｘ１に於いて、第１実施例と主に異なる点は、上方に位置する第２薄板拡大レンズ１６Ａが液晶表示部４Ａの縦長表示画面７の上方に湾曲状に係止されていることである。
【００１７】
すなわち、第１及び第２の薄板拡大レンズ１５，１６Ａは、電話機本体１Ａの液晶表示部４Ａの上方に、それぞれ所要空間１８，１９Ａを有して配設されている点は第１実施例と同様であるが、上方に位置する第２薄板拡大レンズ１６Ａが、材質自体の弾性力に抗して湾曲状態に変位した格好で係合部（係止部）１１Ａ，１１Ａに取り付けられている。
【００１８】
したがって、この第２実施例の左右の係合部１１Ａ，１１Ａの対向する内側には水平状態の下方案内溝１２が形成されている反面、第１実施例の左右の上方案内溝に代えて合計４個の係合爪片２０を左右の係合部１１Ａ，１１Ａの各端部にそれぞれ固定的に設けている。なお、係合爪片２０は左右の係合部１１Ａ，１１Ａの端部に一体成形していも良い。なお、この電話機本体１Ａの入力操作部３Ａにも左右一対の係合部ないし係合爪片用の凹所１４Ａを形成してある。
【００１９】
上記構成に於いて、上方に位置する第２薄板拡大レンズ１６Ａの両端部を左右の係合部１１Ａ，１１Ａの各係合爪片２０にそれぞれ係止させると、第２薄板拡大レンズ１６Ａは材質自体の弾性力に抗して外方向に湾曲状態になる。その結果、図７で示すように第２薄板拡大レンズ１６Ａの湾曲状内壁面と第１薄板拡大レンズ１５の上面との内部空間１９Ａが第１実施例のそれと比較して大きくなり、より一層の拡大の倍率化を図ることができる。
【００２０】
図８及び図９に示す第３実施例の携帯型情報端末機（例えば携帯用電話機）Ｘ２に於いて、第１実施例と主に異なる点は、上方に位置する第２薄板拡大レンズ１６Ｂ及び下方に位置する第１薄板拡大レンズ１５Ｂの両方が、液晶表示部４Ｂの縦長表示画面７の上方に湾曲状に係止されていることである。
【００２１】
すなわち、第１及び第２の薄板拡大レンズ１５Ｂ，１６Ｂは、電話機本体１Ｂの液晶表示部４Ｂの上方に、それぞれ所要空間１８Ｂ，１９Ｂを有して配設されている点は第１実施例と同様であるが、図９に示すように上下の薄板拡大レンズ１６Ｂ、１５Ｂが、それぞれ材質自体の弾性力に抗して湾曲状態に変位した格好で係合部（係止部）１１Ｂ，１１Ｂにそれぞれ取り付けられている。
【００２２】
したがって、この第３実施例の左右の係合部１１Ｂ，１１Ｂには上下の水平状態の案内溝が形成されていない反面、第１実施例の左右の上下案内溝に代えて少なくとも合計８個の係合爪片２０Ｂを左右の係合部（又は突起部）１１Ｂ，１１Ｂの各端部にそれぞれ固定的に設けている。なお、前記係合爪片２０Ｂは、図８で示すように内外の係合爪片２０Ｂに区別され、外側４個の係合爪片２０Ｂには第２薄板拡大レンズ１６Ｂの両端部が、また内側４個の係合爪片２０Ｂには第１薄板拡大レンズ１５Ｂの両端部がそれぞれ係合する。また、前記係合爪片２０Ｂは、左右の係合部（又は突起部）１１Ｂ，１１Ｂを介さないで直接液晶表示部４Ｂの上面に突設しても良い。
【００２３】
このように構成すると、図９で示すように液晶表示部４Ｂの縦長表示画面７に対する第１及び第２薄板拡大レンズ１５Ｂ，１６Ｂの内壁面がそれぞれ遠ざかるので、内部空間１８Ｂ，１９Ｂが第１実施例のそれらと比較してそれぞれ大きくなり、より一層の拡大の倍率化を図ることができる。この第３実施例に於いても、電話機本体１Ｂを閉じた時に各係合部ないし係合爪片が邪魔に成らないように入力操作部３Ｂに列状態の凹所１４Ｂ，１４Ｂが設けられている。
図１０及び図１１に示す第４実施例の携帯型情報端末機（例えば携帯用電話機）Ｘ３に於いて、第１実施例と主に異なる点は、上方に位置する第２薄板拡大レンズ１６Ｃの液晶表示部４Ｃに対する装着構造である。
【００２４】
すなわち、第１実施例では係合部の上下の案内溝にそれぞれ差込むタイプであるが、この第４実施例の第２薄板拡大レンズ１６Ｃは、電話機本体１Ｃの上方から左右の係合部１１Ｃ，１１Ｃに嵌め込む嵌合タイプである。したがって、前記左右の係合部１１Ｃ，１１Ｃには、上方案内溝に代えて段差状の嵌合溝１３Ｃを形成してある。なお、符合１４Ｃは左右一対の係合部用凹所である。
【００２５】
図１２乃至図１６に示す第５実施例の携帯型情報端末機（例えば携帯用電話機）Ｘ４に於いて、第１実施例と主に異なる点は、液晶表示部４Ｄを水平方向に支軸２３を介して略９０度回転した場合に縦長表示画面７が横長表示画面に見えると共に、該横長表示画面に表れる情報は、液晶表示部４Ｄが回転したことを検知する回転方向検出回路、該回転方向検出回路により検出された検出信号を受け取るＵＰＵ、該ＵＰＵから制御信号を受取りかつワイド状態の表示画面に対応して情報の位置や表示設定が正しくなるように液晶表示板に対する情報素子を駆動する情報素子駆動回路をそれぞれ介して視覚上見え易く表れることである。
【００２６】
さらに、電話機本体１Ｄの異なる点について説明すると、電話機本体１Ｄは、液晶表示部４Ｄを、支軸２３を介して支持するための支持板２４を有している。また、入力操作部３Ｄの操作釦６の下方には、左右一対の情報素子制御用駆動釦２６，２７が配設されている。また、左右の駆動釦２６，２７の間に中央部の情報素子制御用駆動釦２８が設けられている。
【００２７】
これらの駆動釦２６，２７，２８は、表示画面７に表れる情報（例えば文字情報、図形情報など）を読み易いように反転ないし整列させるために用いられる。ここでは符合２６を液晶表示部４Ｄが左回転（反時計方向）した場合に用いられる情報素子制御用駆動釦、一方、符合２７を液晶表示部４Ｄが右回転（時計方向）した場合に用いられる情報素子制御用駆動釦、符合２８を初期状態に戻した場合（横長表示画面から縦長表示画面に戻した時）に用いられる情報素子制御用駆動釦とする。
【００２８】
液晶表示部４Ｄは、支持板２４の内壁面上に支軸２３を介して回転自在に設けられているが、本実施例では支軸２３を基準にして略９０度左回転させることが出来る（図１３参照）のみならず、略９０度右回転させることもできる（図１４参照）。液晶表示部４Ｄを手で左右いずれかに回転させると、縦長表示画面７は横長表示画面（俗に「ワイド画面」の状態）になる（図１５参照）。
【００２９】
図１５は携帯型情報端末機Ｘ４の内部の回路を示す説明図である。３５は中央演算処理装置（以下「ＣＰＵ」という。）で、このＣＰＵ３５には各種の回路や装置が電気的に接続している。
【００３０】
すなわち、３６は情報やメインプログラムを記憶するファイル装置、３７は双方向の信号の授受が可能な信号変換回路、３８は電話機Ｘの液晶表示部４Ｄの回転方向を検出する回転方向検出回路、３９は表示画面に表れる情報を所定方向へ反転させる機能、情報を反転させた場合に文字数、行数等を画面表示（縦長か、それとも横長か）に対応して設定させる機能及びカーソルの方向を指定する機能をそれぞれ有する情報素子駆動回路である。
さらに、液晶表示部４Ｄの上部に設けられたスピーカ９は電話回路４０に接続し、一方、入力操作部３Ｄの下部に設けたマイク１０は信号変換回路３７に接続している。
【００３１】
しかして、ＣＰＵ３５には方向盤５や操作釦６の操作に基づく信号が流れる。またＣＰＵ３５には情報素子制御用駆動釦２６，２７に基づいて回転方向検出回路３８が検出した検出信号が流れる。またＣＰＵ３５には、アンテナ８で受信されかつ電話回路４０や信号変換回路３７をそれぞれ介して変換された変換信号が流れる。
【００３２】
上記構成に於いて、縦長表示画面７を横長表示画面７ａの状態に使用したい場合には、液晶表示部４Ｄを手で左右いずれかに略９０度回転させる。この場合、そのままの状態では入力操作部３Ｄの操作釦６の文字と横長表示画面７ａの文字は交差状態になってしまう。
【００３３】
つまり、横長表示画面の文字等が横（倒れた）状態になり、読み難くなる。そこで、左又は右の情報素子制御用駆動釦２６（２７）を押す。ここで、例えば左駆動釦２６を押すと、回転方向検出回路３８は左駆動釦２６の入力信号を検知し、この検知信号はＣＰＵ３５に流れる。
【００３４】
ＣＰＵ３５は回転方向検出回路３８から「左側に回転した旨」の検知信号を受け取ったならば、この検知信号に基づく制御信号を情報素子駆動回路３９に送る。
【００３５】
情報素子駆動回路３９は、縦長表示画面７から横長表示画面７ａになった当該ワイド画面に文字情報、図形情報、映像情報などの情報がそれぞれ正しく表示されるように情報素子を駆動制御する。
【００３６】
この情報素子駆動回路３９の各機能について述べると、（ａ）図示しない液晶表示板の走査方向を反転して文字等を縦（起こす）状態にする機能、（ｂ）当該情報を反転させた場合に文字数、行数等を当該ワイド画面７ａに対応して画面全体に表示設定させる機能、（ｃ）方向盤５の操作に基づくカーソルの移動方向を当該ワイド画面に対応して正しく指示する切り替え機能がある。
【００３７】
なお、上記の場合、右駆動釦２７を押すと、情報素子駆動回路３９は、縦長表示画面７から横長表示画面７ｂになった当該ワイド画面に文字情報、図形情報、映像情報などの情報がそれぞれ正しく表示されるように情報素子を駆動制御する。この場合ＣＰＵ３５は回転方向検出回路３８から「右側に回転した旨」の検知信号を受け取り、この検知信号に基づく制御信号を情報素子駆動回路３９に送る。
【００３８】
また、横長表示画面７ａから縦長表示画面７に戻した場合には中央部の駆動釦２８を押す。中央部の駆動釦２８を押した時に於いて、ＣＰＵ３５は回転方向検出回路３８から「初期状態に戻した旨」の検知信号を受け取り、この検知信号に基づく制御信号を情報素子駆動回路３９に送る。図１６は情報素子駆動回路３９の各機能により表示画面７，７ａに表れた文字情報の態様を簡単に示したものである。
【００３９】
ところで、第５実施例の携帯型情報端末機（例えば携帯用電話機）Ｘ４に関しては、複数個の情報素子制御用駆動釦２６，２７，２８が配設されているが、必ずしも複数個である必要はない。例えば１個の駆動釦を入力操作部３Ｄ又は液晶表示部４Ｄに設け、該駆動釦を繰り返して押すと、「まず左駆動釦２６を押した場合の信号、次に右駆動釦２７を押した場合の信号、次いで復帰駆動釦２８を押した場合の信号」というように断続的な駆動信号が回転方向検出回路３８に流れるようにしても良い。
【００４０】
また、特に図示しないが、液晶表示部４Ｄを左に９０度倒すと、自動的の駆動切換えスイッチが作動（上昇）し、この時回転方向検出回路３８はスイッチが切り替わった旨の上昇信号を検出すると、「いわば縦長表示画面７が横長表示画面７ａになったこと」を検出し、逆に液晶表示部４Ｄを元の状態に戻すと、駆動切換えスイッチが下降し、このこの時回転方向検出回路３８はスイッチが切り替わった旨の下昇信号（いわば横長表示画面７ａが縦長表示画面７になったこと）」を検出するように構成しても良い。
【００４１】
【実施例】
各実施例には、第１及び第２の薄板拡大レンズがそれぞれ示されているが、必ずしも２枚である必要はなく、３枚又は４枚でも良い。要は複数枚の薄板拡大レンズを携帯型情報端末機の液晶表示部の縦長表示画面にそれぞれ所要空間を有して対向状態に、かつ、係脱自在に係合ないし嵌合すれば良い。
また第５実施例の液晶表示部４Ｄは左右いずれにも回転可能であるが、必ずしも左右に回転させる必要はない。この実施例の目的は、縦長表示画面を横長表示画面にすることができれば十分であるから、液晶表示部４Ｄを左右いずれか（例えば左のみ）に回転させることができれば良い。
【００４２】
【発明の効果】
以上の説明から明らかなように、本発明にあっては、次に列挙するような効果がある。
（１）小型化された携帯型情報端末機の表示画面の情報を、合理的な構成により、拡大の倍率化を図ることができると共に、携帯型情報端末機を操作する際に常に両手を使用することができる。したがって、より一層見易くなると共に、操作性に関しても、普通一般の携帯型情報端末機と同様に今まで通り両手又は片手で実現できる。
（２）携帯型情報端末機の液晶表示部に複数枚の拡大レンズを簡単に係脱させることができる。したがって、拡大レンズを自由に交換することができる。
（３）第５実施例では、携帯電話機の縦長表示画面を横長表示画面としても使用することができる。したがって、横長表示画面の方が見やすい、文字を読み易いと感じている人々の要求を満たすことができる。
（４）縦長表示画面を横長表示画面にした時、操作釦一つで、又は自動的に横長表示画面に対応して情報の位置や表示設定が正しく表れる。
【図面の簡単な説明】
図１乃至図４は本発明の第１実施例を示す各概略説明図。図５乃至図７は本発明の第２実施例を示す各概略説明図。図８及び図９は本発明の第３実施例を示す各概略説明図、図１０及び図１１は本発明の第４実施例を示す各概略説明図、図１２乃至図１６は本発明の第５実施例を示す各概略説明図。
【図１】第１実施例の斜視からの説明図（電話機を開いた状態）。
【図２】正面からの説明図。
【図３】図２の３−３線に基づく概略断面の説明図（電話機本体の構造を省略）。
【図４】係合部と薄板拡大レンズとの関係を示す斜視からの説明図。
【図５】第２実施例の係合部と薄板拡大レンズとの関係を示す斜視からの説明図。
【図６】正面からの一部切欠の説明図。
【図７】図６の７−７線に基づく概略断面の説明図（電話機本体の構造を省略）。
【図８】第３実施例の係合部と薄板拡大レンズとの関係を示す斜視からの説明図。
【図９】図８の９−９線に基づく概略断面の説明図（電話機本体の構造を省略）。
【図１０】第４実施例の係合部と薄板拡大レンズとの関係を示す斜視からの説明図。
【図１１】係合部と薄板拡大レンズとの係合関係を示す断面からの説明図。
【図１２】第５実施例の正面からの説明図（回転例を仮想線で示す）。
【図１３】液晶表示部を左に回した時の正面からの説明図。
【図１４】液晶表示部を右に回した時の正面からの説明図。
【図１５】端末機の内部回路の概略説明図。
【図１６】液晶表示部を回転した場合に於いて、横長表示画面に表れる情報の表示状態を示す説明図。
【符号の説明】
Ｘ〜Ｘ４…携帯型情報端末機、１，１Ａ，１Ｃ，１Ｄ…電話機本体、２…軸支部、３，３Ａ，３Ｂ，３Ｄ…入力操作部、４，４Ａ，４Ｂ，４Ｃ，４Ｄ…液晶表示部、５…方向盤、６…操作釦、７…表示画面、１１，１１Ａ，１１Ｂ，１１Ｃ…係合部、１２…下方案内溝、１３…上方案内溝、１３Ｃ…嵌合溝、１４，１４Ａ，１４Ｃ…凹所、１５，１５Ｂ…第１薄板拡大レンズ、１６，１６Ａ，１６Ｂ，１６Ｃ…第２薄板拡大レンズ、１８，１８Ｂ，１９，１９Ｂ…所定空間、２０，２０Ｂ…係合爪片、２６，２７，２８…情報素子制御用駆動釦、４，４Ａ…液晶表示部、２３…支軸、２４…支持板、７…縦長表示画面、７ａ…横長表示画面、３５…中央演算処理装置、３６…ファイル装置、３７…信号変換回路、３８…回転方向検出回路、３９…情報素子駆動回路、４０…電話回路。
【図１】
2004015426.tif 000003
【図２】
2004015426.tif 000004
【図３】
2004015426.tif 000005
【図４】
2004015426.tif 000006
【図５】
2004015426.tif 000007
【図６】
2004015426.tif 000008
【図７】
2004015426.tif 000009
【図８】
2004015426.tif 000010
【図９】
2004015426.tif 000011
【図１０】
2004015426.tif 000012
【図１１】
2004015426.tif 000013
【図１２】
2004015426.tif 000014
【図１３】
2004015426.tif 000015
【図１４】
2004015426.tif 000016
【図１５】
2004015426.tif 000017
【図１６】
2004015426.tif 000018